(57)【要約】【課題】カードが傾きにくいカード保持具を提供すること。【解決手段】線材を折り曲げてなるクリップ（１２）と、クリップを支持する台座（１４）とを含むカード保持具（１０）に係り、クリップ（１２）が、カード（２０）を挟持するための挟持部（１６）と、カードを支持するための２つの支持部（１８）とを有する。【選択図】図１
2005289005.tif 000002
【特許請求の範囲】
【請求項１】
線材を折り曲げてなるクリップと、該クリップを支持する台座とを含むカード保持具であって、前記クリップは、カードを挟持するための挟持部と、前記カードを支持するための２つの支持部とを有する、カード保持具。
【請求項２】
前記挟持部は、互いに接する２つの直線状に伸びる直線部分を含む、請求項１に記載のカード保持具。
【請求項３】
前記２つの支持部は、前記挟持部の下方位置にあり、かつ、前記２つの直線部分をそれぞれ含む互いに交差する２つの仮想面の上にそれぞれ位置する一部分および他の一部分を有する、請求項２に記載のカード保持具。
【発明の詳細な説明】
【背景技術】
【０００１】
本発明は、カードを保持するために用いられるカード保持具に関する。
【０００２】
従来、１の線材を複数のリングに折り曲げてなるクリップと、該クリップを支持する台座とを含むカード保持具が提案されている。
【０００３】
【特許文献１】特開２００３−９８９６４号公報
【０００４】
これによれば、２つのリング間に差し込まれかつ両リングにより弾性的に挟持されるカードは、両リングが相互に連なる一点で支持される。
【０００５】
このため、前記従来のカード保持具にあっては、カードが外力を受けると、該カードの支持点の周りに回転し、容易に傾くという不都合がある。
【発明の開示】
【発明が解決しようとする課題】
【０００６】
本発明の目的は、カードが傾きにくいカード保持具を提供することにある。
【課題を解決するための手段】
【０００７】
本発明は、線材を折り曲げてなるクリップと、該クリップを支持する台座とを含むカード保持具に係り、前記クリップが、カードを挟持するための挟持部と、前記カードを支持するための２つの支持部とを有する。
【０００８】
前記挟持部は、好ましくは、互いに接する２つの直線状に伸びる直線部分を含む。また、前記２つの支持部は、前記挟持部の下方位置にあり、かつ、前記２つの直線部分をそれぞれ含む互いに交差する２つの仮想面の上にそれぞれ位置する一部分および他の一部分を有するものとすることができる。
【発明の効果】
【０００９】
本発明によれば、クリップの挟持部において挟持されたカードはその２つの支持部で支持されることから、一点で支持する前記従来のカード保持具と比べて、カードをより安定に支持することができる。これにより、外力に対し、前記カードをより傾きにくいものとすることができる。
【００１０】
前記挟持部を２つの直線部分を含むものとするときは、これらの直線部分が前記カードに対して線接触をする。このことから、カードに点接触をする前記従来のものと比べて、カードをより強固に、またより安定的に保持することができる。前記支持部については、前記挟持部を構成する両直線部分の下方位置にあってこれらの直線部分をそれぞれ含む２つの仮想面上に一の部分及び他の部分が含まれるものとすることができる。
【発明を実施するための最良の形態】
【００１１】
図１及び図２を参照すると、本発明に係るカード保持具が全体に符号１０で示されている。
【００１２】
カード保持具１０は、クリップ１２と、台座１４とを含み、クリップ１２は支柱１５を介して、台座１４に支持されている。
【００１３】
クリップ１２及び支柱１５は、プラスチック製、ばね鋼のような金属製等の１の線材を折り曲げてなり、互いに連なっている。台座１４はプラスチック製、金属製等の板状体からなり、支柱１５がその自由端（下端）において台座１４に固定されている。前記線材は、図示の例では円形の横断面形状を有するところ、他の横断面形状（例えば矩形）を有するものであってもよい。
【００１４】
図示の例では、クリップ１２及び支柱１５は全体にＴ形をなし、クリップ１２が横方向へ水平に伸び、支柱１５がクリップ１２から下方へ台座１４に向けて伸びている。
【００１５】
クリップ１２は挟持部１６と、２つの支持部１８とを有し、挟持部１６及び両支持部１８はそれぞれカード２０（図３）を挟持し及びこれを支持する機能を担う。
【００１６】
挟持部１６は、互いに接する２つの直線部分、すなわち直線的に伸びかつ互いに接する２つの部分２２，２４を含む。図示の例では、直線部分２２及び直線部分２４は、それぞれ、比較的長い寸法及び比較的短い寸法を有する。
【００１７】
カード２０は、これが両挟持部１６間に差し入れられるとき、両挟持部１６に圧迫され、その両面においてそれぞれ両挟持部１６と線接触をする。
【００１８】
挟持部１６は、さらにもう一つの直線部分２６を有するものとすることができる。直線部分２６は直線部分２４とほぼ同じの短い長さ寸法を有する。直線部分２６は直線部分２４と並列に配置され、両直線部分２４，２６は共に長い直線部分２２に対してその長手方向中央において接している。これによれば、より長い直線区間又は範囲において、カード２０を挟持することができる。
【００１９】
図示の例では、クリップの２つの保持部１８はそれぞれ挟持部１６の下方位置にあって、上方に向けて開放する全体にＵ形を呈し、２つの側部分１８ａ，１８ｂとこれらの間の底部分１８ｃとを有する。両保持部は、図示の例に代えて、例えば上方に向けて開放する全体に円弧形を呈するもの（図示せず）とすることができる。両保持部１８はそれぞれこれらの一方の側部分１８ａにおいて長い直線部分２２の両端に連なっている。
【００２０】
また、両保持部の他方の側部分１８ｂはそれぞれ一方の短い直線部分２４の一端（図１において左端）及び他方の短い直線部分２６の一端（図１において右端）に連なっている。
【００２１】
挟持部１６の一方の短い直線部分２４は、その他端（図１において右端）において、支柱１５の上端に連なっている。また、他方の短い直線部分２６の他端（図１において左端）には、前記側部分にほぼ等しい長さの垂下部分２８が連なっている。垂下部分２８は支柱１５に接して下方に向けて直線的に伸びている。
【００２２】
ここに短い両直線部分２４，２６は垂直な１の仮想面（図示せず）上にあり、他方、長い直線部分２２は他の仮想面（図示せず）上にある。前記他の仮想面は、前記１の仮想面と交差しており、これらの仮想面の交差線上において、短い両直線部分２４，２６と長い直線部分２２とが互いに接している。
【００２３】
また、両支持部１８の一部分（１の側部分１８ｂ及び底部分１８ｃ）が前記１の仮想面上にあり、かつ他の一部分（他の側部分１８ａ）が前記他の仮想面上にある。なお、垂下部分２８は前記１の仮想面上にある。
【００２４】
このことから、カード２０は、直線部分２２と直線部分２４，２６との間を通して両保持部１８の一部分（１の側部分１８ｂ及び底部分１８ｃ）と他の一部分（他の側部分１８ａ）との間に差し込むことができる。このとき、カード２０は両直線部分２２，２４，２６において挟持され、また２つの保持部１８においてこれらの２つの側部分１８ａ，１８ｂに挟まれた状態でこれらの底部１８ｃ上に載置される（図３参照）。
【００２５】
カード２０は、挟持部１６においてこれと線接触するため、点接触による場合と比べて、また２つの保持部１８に載置されるため、１の保持部による場合と比べて、より安定に保持することができる。
【００２６】
クリップ１２については、図４〜図６に示すように、他の形状を有するものとすることができる。
【００２７】
この例では、２つの直線部分２２，２４からなる挟持部１６の短い直線部分２４が、長い直線部分２２に対して、該直線部分の長手方向中央部に位置しこれと接している。
【００２８】
また、この例では、２つの保持部１８が、横方向に関して互いに隣接する小さい保持部及び大きい保持部からなる。両保持部１８はそれぞれ挟持部１６の下方位置にあって、前記した例におけると同様に全体にＵ形を呈する。小さい保持部１８は縦に長く、また大きい保持部は横に長い。この例では、小さい保持部１８はその両側部分１８ａ，１８ｂに連なる円弧状の底部１８ｃを有する。またこの例では、支柱１５がクランク状に折り曲げられている。
【００２９】
この例では、短い直線部分２４の両端にそれぞれ支柱１５及び小さい保持部１８が連なっている。長い直線部分２２の両端にはそれぞれ小さい保持部１８及び大きい保持部１８が連なっている。より詳細には、短い直線部分２４に小さい保持部の一方の側部分１８ｂが連なり、長い直線部分２２の両端にそれぞれ小さい保持部の他方の側部分１８ａ及び大きい保持部の一方の側部分１８ａが連なっている。大きい保持部の他方の側部分１８ｂは自由端とされている。
【００３０】
この例においても、また、短い直線部分２４と小さい保持部の側部分１８b及び底部分１８ｃとを含む１の仮想面と、長い直線部分２２とこれに連なる両保持部の一方の保持部１８ａと、大きい保持部の底部１８ｃとを含む他の仮想面とが、前記したと同様に交差している。なお、大きい保持部の側部分１８ｂは前記他の仮想面から前記１の仮想面に向けて折り曲げられている。
【００３１】
この例によれば、両直線部分２２，２４間に通されるカード２０（図６）は、前記した例におけると同様、両仮想面間において両保持部の底部１８ｃ上に載置される。なお、大きい保持部の側部分１８ｂは、その底部１８ｃの周りに、短い直線部分２４の側に向けて折り曲げられているため、図６で見て、カード２０前には現れない。
【００３２】
図１に示すように、クリップ１２を支持する台座１４は、これに入れられた切り込みに沿って折り返された立ち上がり部３０を有する。支柱１５はその下端部において立ち上がり部３０に固定され、台座１４から垂直上方に伸びている。
【図面の簡単な説明】
【００３３】
【図１】本発明に係るカード保持具の斜視図である。
【図２】他の方向から見たカード保持具の斜視図である。
【図３】カードを保持した状態にあるカード保持具の部分正面図である。
【図４】カード保持具における他の例のクリップの正面図である。
【図５】図４に示すクリップの平面図である。
【図６】カードを保持した状態にある図４に示すクリップの正面図である。
【符号の説明】
【００３４】
１０  カード保持具
１２  クリップ
１４  台座
１６  挟持部
１８  保持部
２０  カード
２２，２４，２６  直線部分
【図１】
2005289005.tif 000003
【図２】
2005289005.tif 000004
【図３】
2005289005.tif 000005
【図４】
2005289005.tif 000006
【図５】
2005289005.tif 000007
【図６】
2005289005.tif 000008